(57)【特許請求の範囲】
【請求項１】
ピストン（４）を摺動自在に備えた注射筒（１）の先端面の偏倚した位置に小径の第１透孔（１ａ）と大径の第２透孔（１ｂ）とを備え、前記注射筒（１）の先端側に周方向に回動するように外接嵌合して備えたキャップ（２）の偏倚した位置に出没自在に備えられた注射針（３）の針基（３ａ）の径を、前記第１透孔（１ａ）の径より大きく前記第２透孔（１ｂ）の径より小さく形成して備え、前記注射針（３）の針基（３ａ）と前記第１透孔（１ａ）とが整合した状態にあるとき、前記注射筒（１）に対して前記キャップ（２）を一方向へ回動することにより前記注射針（３）の針基（３ａ）が前記第２透孔（１ｂ）と対応したときには自重でもって前記注射筒（１）内へ前記注射針（３）が落下する構成であり、かつ前記注射筒（１）内へ前記注射針（３）が落下した後の前記キャップ（２）の同方向への回動により、当該キャップ（２）によって前記第１透孔（１ａ）及び第２透孔（１ｂ）を閉塞する構成としてあることを特徴とするシリンジ安全針。
【請求項２】
請求項１に記載のシリンジ安全針において、前記注射筒（１）の先端面に凹設された嵌合溝（１ｄ）又は嵌合凹部（１ｇ）と嵌合自在な閉塞突起を前記キャップ（２）に備えていることを特徴とするシリンジ安全針。
【請求項３】
請求項１又は２に記載のシリンジ安全針において、前記注射筒（１）の先端側には先端面に向うに連れて次第に拡経する逆テーパー状の大径部（１ｆ）を備え、前記キャップ（２）の内周面（２ｃ）は、前記大径部（１ｆ）に嵌合して抜けないように逆テーパー状に形成してあることを特徴とするシリンジ安全針。
【発明の詳細な説明】
【０００１】
【発明の属する技術分野】
本発明は、使用済みの注射針を安全に廃棄することができるシリンジ安全針に関し、更に詳しくは、キャップの回動操作だけで使用済み注射針を簡単かつ確実に注射筒内に収納保持することができる有用なシリンジ安全針に存する。
【０００２】
【従来の技術】
従来、斯かる使用済み注射針の捨収納容器としては、例えば、特開平１−１３６６６５号報に開公示されたものが従来例として周知である。この使用済み注射針の捨収納容器は、図７に示すように、容器本体７の上部開口を閉じる覆板８に、注射針９の基端側フランジ９ａが入る広幅部１０ａと、前記フランジ９ａが係合する狭幅部１０ｂとを備えた取り外し用の長孔１０を形成してなり、該長孔１０の広幅部１０ａから注射針９を容器本体７内に挿着した後、同注射針９の前記フランジ９ａを前記覆板８の下面に係合させるべく注射筒１１を狭幅部１０ｂに移動させて上方へ引き上げることにより、注射針９が注射筒１１から欠落し容器本体７内へと取捨させている。
【０００３】
【発明が解決しようとする課題】
しかしながら、上述した特開平１−１３６６６５号公報に開示されている使用済み注射針の収納容器にあっては、注射器とは別に用意しなければならないため、その分の製造コストが嵩むと共に、注射針９を容器本体７の長孔８に差し入れる際に、意に反して注射針９が容器本体７を握持する手指に刺さってしまうことが危惧されるものであり、衛生面若しくは安全性の見地からしても好ましいものではなかった。
【０００４】
本発明はこのような従来の問題点に鑑みてなされたもので、使い捨てになされる注射器（詳しくは、注射筒）をそのまま注射針の廃棄容器として有効利用することができると共に、従来の如き意に反して手指に刺してしまうといった刺針事故の危惧を解消させるべく、使用後の注射針がそのままキャップの操作だけで、簡単に注射筒内に廃棄保持される有用なシリンジ安全針の提供を目的としたものである。
【０００５】
【課題を解決するための手段】
本発明は、前述したごとき問題に鑑みてなされたもので、ピストン（４）を摺動自在に備えた注射筒（１）の先端面の偏倚した位置に小径の第１透孔（１ａ）と大径の第２透孔（１ｂ）とを備え、前記注射筒（１）の先端側に周方向に回動するように外接嵌合して備えたキャップ（２）の偏倚した位置に出没自在に備えられた注射針（３）の針基（３ａ）の径を、前記第１透孔（１ａ）の径より大きく前記第２透孔（１ｂ）の径より小さく形成して備え、前記注射針（３）の針基（３ａ）と前記第１透孔（１ａ）とが整合した状態にあるとき、前記注射筒（１）に対して前記キャップ（２）を一方向へ回動することにより前記注射針（３）の針基（３ａ）が前記第２透孔（１ｂ）と対応したときには自重でもって前記注射筒（１）内へ前記注射針（３）が落下する構成であり、かつ前記注射筒（１）内へ前記注射針（３）が落下した後の前記キャップ（２）の同方向への回動により、当該キャップ（２）によって前記第１透孔（１ａ）及び第２透孔（１ｂ）を閉塞する構成としてあることを特徴とするものである。
【０００６】
また、前記シリンジ安全針において、前記注射筒（１）の先端面に凹設された嵌合溝（１ｄ）又は嵌合凹部（１ｇ）と嵌合自在な閉塞突起を前記キャップ（２）に備えていることを特徴とするものである。
【０００７】
また、前記シリンジ安全針において、前記注射筒（１）の先端側には先端面に向うに連れて次第に拡経する逆テーパー状の大径部（１ｆ）を備え、前記キャップ（２）の内周面（２ｃ）は、前記大径部（１ｆ）に嵌合して抜けないように逆テーパー状に形成してあることを特徴とするものである。
【００２１】
【発明の実施の形態】
次に、本発明の第１実施例を図１〜図５を参照しながら説明する。図中Ａは、本発明に係るシリンジ安全針であり、このシリンジ安全針Ａは、図１に示すように、下端側が解放された筒蓋状の注射筒１と、該注射筒１の先端側に組み付けられたキャップ２と、該キャップ２の先端側に向けて出没自在に配設された注射針３と、前記注射筒１の下端側に摺動自在に挿着されたピストン（押し子）４とを備えている。
【００２２】
前記注射筒１は、ガラスや合成樹脂材等の適宜素材から成形されており、図２に示すように、先端面（頂端面）の偏倚した位置には、孔径の異なる第１透孔１ａと第２透孔１ｂとが形成されている。第１透孔１ａは、注射薬や血液等の内容液を出入するための貫通孔であり、後述する注射針３の下端側（詳しくは、針基３の大径部）の外径よりも小さな孔径に形成されている。
【００２３】
従って、この第１透孔１ａは、注射針３の下端面と整合された際、針孔３ｂと同心状に連通され、注射若しくは採血可能状態となるものである。
【００２４】
一方、第２透孔１ｂは、注射針３の下端側に取り付けられた針基３ａよりも大きな孔径に形成されており、針基３ａが第２透孔１ｂ上に変位されるや否や、注射針３は、自重で下方の注射筒１内に落下するように形成されている。
【００２５】
更に、この注射筒１の先端面には、針基移動溝１ｃと嵌合溝１ｄとが凹設されている。針基移動溝１ｃは、同注射筒１の先端面よりも一段低く形成された段差凹溝からなり、キャップ２の回動操作に応じて注射針３の針基３ａが第２透孔１ｂに向けて円滑に移動し得るように半弧状に形成されている。
【００２６】
また、前記嵌合溝１ｄは、後述するキャップ２の閉塞突起２ｂと気密に整合するように形成されているものであり、斯かる嵌合溝１ｄと閉塞突起２ｂとがお互いに嵌合することにより、注射筒１とキャップ２との気密性を保持している。
【００２７】
他方、キャップ２は、前記注射筒１の周方向に回動するように外接嵌合されるものであり、先端面に注射針３を抜け止め挿通するための取付孔２ａが形成されている。
【００２８】
また、このキャップ２の中底面には、内方に向けて突出する閉塞突起２ｂが形成されている。この閉塞突起２ｂは、図２に示すように、中心より三方に放射した形状を呈しており、その二方の閉塞突起２ｂ1 ，２ｂ2 で前記取付孔２ａを囲繞すべく区画している。
【００２９】
従って、この閉塞突起２ｂと前記注射筒１の嵌合溝１ｄとが整合されることにより、注射筒１とキャップ２との気密性が保持されると共に、内容液が前述した針落とし用の第２透孔１ｂの方に漏れないように第１透孔１ａの周りをシールドするものである。
【００３０】
また、注射針３は、例えば、クロム鋼製の如き常套な金属針からなり、下端側に針基３ａが装着されている。この針基３ａは、使用時にのみ前記キャップ２の取付孔２ａに気密かつ確実に接合し得るように、下方に向けて次第に拡径しているものであり、下端面に針孔３ｂを臨ませている。
【００３１】
更に、ピストン４は、先端側に注射筒１の内周面と気密に接合する大きさに形成されたピストンヘッド４ａを突設してなり、該ピストン４の出し入れによって、内容液の吸い入れ、押し出しをなすものである。
【００３２】
尚、このピストン４は、注射筒１内から安易に抜け落ちないように、注射筒１の下端内周面に突起１ｅ，１ｅが突設されており、前記ピストンヘッド４ａの引き下げ限界位置が決定されている。
【００３３】
このように構成される本発明のシリンジ安全針Ａは、まず、使用する際（注射又は採血の時）は、図２に示すように、注射針３がキャップ２の先端から突出すべく取付孔２ａ内に挿通させた状態で、注射筒１の先端側に同キャップ２を整合するだけで、前記注射針３の針基３ａが針基移動溝１ｃ内に変位自在に狭持されると共に、前記閉塞突起２ｂと嵌合溝１ｄとが互いに整合して注射筒１とキャップ２との気密性を保持させた状態で、針基３ａを第１透孔１ａ上に取り付けでき注射又は採血可能状態にセットできる（図３参照）。
【００３４】
また、使用後は、図３に示すように、ピストン４を押し下げた状態で、前記キャップ２を右方向に回動操作するだけで、簡単に注射針３を前記第２透孔１ｂ上に変位できると共に、前記第１透孔１ａを閉塞し、注射筒１を立てておけば、針基３ａが同第２透孔１ｂと重合すると略同時に、注射針３は自重により注射筒１内に落下するのである（図４参照）。
【００３５】
そして、更に前記キャップ２を同方向に回動させれば、前記第１透孔１ａと同様に第２透孔１ｂも同キャップ２の未開孔部分との重合により閉塞され、注射針３を注射筒１内に廃棄保持できるのである（図５参照）。
【００３６】
また、注射針３は、注射筒１内に保持された状態のままで廃棄処分されるものであるが、必要に応じ、ピストン４の余剰な部分を折って取捨しても良いものである。
【００３７】
次に、本発明に係るシリンジ安全針の第２実施例を図６を参照しながら説明する。尚、理解を容易にするため、前述した第１実施例と同一部分は同一符号で示し、構成の異なる処のみを新たな番号を付して以下に説明する。
【００３８】
図６は、注射筒１とキャップ２の要部を示す斜視図であり、注射筒１の先端側には、先端面に向かうに連れて次第に拡径する逆テーパー状の大径部１ｆが周設されている。
【００３９】
この注射筒１の大径部１ｆは、キャップ２の抜け落ちを阻止するための傾斜付けであり、後述する同キャップ２内の逆テーパー状の内周面２ｃと整合するように面処理されている。
【００４０】
また、注射筒１の先端面（頂面）には、椀状に窪んだ嵌合凹部１ｇが形成されている。この嵌合凹部１ｇは、第２透孔１ｂと略同径になるように凹設されており、後述する如く所定位置でキャップ２の閉塞突起２ｅと重合するように位置決めされている。
【００４１】
一方、キャップ２は、弾力性若しくは可撓性を有する合成樹脂材等の適宜素材から筒蓋状に成形されており、内周面に前記注射筒１の大径部１ｆと回動自在に密嵌される逆テーパー状の内周面２ｃが形成されている。
【００４２】
この内周面２ｃは、キャップ２の遊端開口２ｄから先端面に向けて（奥行き方向に）次第に拡径すべく形成されており、一旦、注射筒１の大径部１ｆに嵌合した後は容易に抜けないように包持されると共に、大径部１ｆ全周への面接触で注射筒１の第１透孔１ａ及び第２透孔１ｂをシールドすべく互いに接合される。
【００４３】
更に、キャップ２内の先端面（突当面）には、閉塞突起２ｅが突設されている。この閉塞突起２ｅは、内側に向けて半球状に突出してなるものであり、キャップ２の回動操作に応じて前記注射筒１の第１透孔１ａ、第２透孔１ｂ、嵌合凹部１ｇと整合するように位置決めされている。
【００４４】
すなわち、斯かる閉塞突起２ｅは、注射筒１の第１透孔１ａとキャップ２の取付孔２ａとが整合する位置、換言すれば、注射針３と第１透孔１ａとが注射若しくは採血可能状態に連通する位置（図３参照）では第２透孔１ｂ上に重合されて同第２透孔１ｂを気密に閉塞し、注射針３と第２透孔１ｂとが連通する位置（図４参照）では前記嵌合凹部１ｇ内に嵌入保持されるように位置決めされている。
【００４５】
更に、前記両透孔（第１透孔１ａと第２透孔１ｂ）の何れもがキャップ２の未開孔部分で閉塞される位置（図５参照）では、第１透孔１ａと針基移動溝１ｃとからなる窪みに閉塞突起２ｅが係合され、キャップ２の意に反した安易な回動操作を阻止するものである。
【００４６】
このように構成される本実施例のシリンジ安全針Ｂは、第１実施例と同様、まず、使用する際（注射又は採血の時）は、注射針３がキャップ２の先端から突出すべく取付孔２ａ内に挿通させた後（図２参照）、同キャップ２を拡径させながら注射筒１の大径部１ｆに嵌合するだけで、両者（注射筒１とキャップ２）は回動自在に抜け止めされ、仮令、ピストン４の押し込み操作で加圧されても、先端方向へ微動だにすることがなく、まして抜け落ちることはない。
【００４７】
しかも、同キャップ２が注射筒１に正しく整合されることで、前記注射針３の針基３ａが針基移動溝１ｃ内に変位自在に狭持されると共に、閉塞突起２ｅが第２透孔１ｂを閉塞させた、所謂、気密保持の状態で、前記針基３ａと第１透孔１ａとを注射又は採血可能状態に連通する（図３参照）。
【００４８】
また、使用後は、ピストン４を押し下げた状態で、前記キャップ２を右方向に回動操作するだけで、簡単に注射針３を前記第２透孔１ｂ上に重合変位させることができると共に、前記閉塞突起２ｅが嵌合凹部１ｇ内に係合されてキャップ２を保持せしめ、注射筒１を立てることにより、注射針３は自重により注射筒１内に落下するのである（図４参照）。
【００４９】
そして、更に前記キャップ２を同方向に回動させれば、前記第１透孔１ａと同様に第２透孔１ｂも同キャップ２の未開孔部分との重合により閉塞され、注射針３を注射筒１内に廃棄保持できるのである（図５参照）。
【００５０】
尚、本発明のシリンジ安全針Ａは、本実施例（第１及び第２実施例）に限定されることなく、本発明の目的の範囲内で自由に設計変更し得るものであり、本発明はそれらの全てを包摂するものである。例えば、このシリンジ安全針は、注射器や採血器等の医療用穿刺具のみならず、ピストンの出し入れによって気体、液体等の流体物の吸い入れ、押し出しをなす注入器等にも応用できるものであり、本発明はこれらの全てを包摂するものである。
【００５１】
【発明の効果】
以上のごとき説明より理解されるように、本発明は、ピストン（４）を摺動自在に備えた注射筒（１）の先端面の偏倚した位置に小径の第１透孔（１ａ）と大径の第２透孔（１ｂ）とを備え、前記注射筒（１）の先端側に周方向に回動するように外接嵌合して備えたキャップ（２）の偏倚した位置に出没自在に備えられた注射針（３）の針基（３ａ）の径を、前記第１透孔（１ａ）の径より大きく前記第２透孔（１ｂ）の径より小さく形成して備え、前記注射針（３）の針基（３ａ）と前記第１透孔（１ａ）とが整合した状態にあるとき、前記注射筒（１）に対して前記キャップ（２）を一方向へ回動することにより前記注射針（３）の針基（３ａ）が前記第２透孔（１ｂ）と対応したときには自重でもって前記注射筒（１）内へ前記注射針（３）が落下する構成であり、かつ前記注射筒（１）内へ前記注射針（３）が落下した後の前記キャップ（２）の同方向への回動により、当該キャップ（２）によって前記第１透孔（１ａ）及び第２透孔（１ｂ）を閉塞する構成としてあるから、注射筒をそのまま注射針の廃棄容器として有効利用することができると共に、従来の如き、注射針が意に反して手指に刺さってしまうといった刺針事故の危惧をも解消できるといった効果を奏するものである。
【図面の簡単な説明】
【図１】本発明に係るシリンジ安全針の第１実施例を示す斜視図である。
【図２】同シリンジ安全針の組立分解斜視図である。
【図３】同シリンジ安全針のキャップ操作を示す説明図である。
【図４】同シリンジ安全針に使用される注射針の欠落状態を示す説明図である。
【図５】同シリンジ安全針に使用される注射針の廃棄保持状態を示す説明図である。
【図６】本発明に係るシリンジ安全針の第２実施例を示す要部説明図である。
【図７】従来の注射針収納容器を示す説明図である。
【符号の説明】
１  注射筒
１ａ  第１透孔
１ｂ  第２透孔
１ｃ  針基移動溝
１ｄ  嵌合溝
１ｅ  突起
１ｆ  大径部
１ｇ  嵌合凹部
２  キャップ
２ａ  取付孔
２ｂ  閉塞突起
２ｃ  内周面
２ｄ  遊端開口
２ｅ  閉塞突起
３  注射針
３ａ  針基
３ｂ  針孔
４  ピストン
４ａ  ピストンヘッド
【図１】
0003967408.tif 000002
【図２】
0003967408.tif 000003
【図３】
0003967408.tif 000004
【図４】
0003967408.tif 000005
【図５】
0003967408.tif 000006
【図６】
0003967408.tif 000007
【図７】
0003967408.tif 000008